(57)【特許請求の範囲】
【請求項１】
二輪及び三輪車に対して着脱可能とされた風防と、
前記風防に取り付けられた把手と、
を備え、前記風防を前記二輪及び三輪車から取り外し把手を持って盾とすることを特徴とする二輪及び三輪車用防衛具などの装備構造。
【請求項２】
前記把手が、折畳み可能とされていることを特徴とする請求項１記載の二輪及び三輪車用防衛具などの装備構造。
【請求項３】
前記二輪及び三輪車側にそれぞれ基端が固定された長手状の各取付杆と、
前記各取付杆の先端側を連結する連結部材と、
前記連結部材に取り付けられた係合部材と、
前記風防に取り付けられ、前記各取付杆の先端を挿通係止する各係止部と、
前記風防に取り付けられ、前記係合部材と係合して前記係止部の係止と共に前記風防を固定するフック部と、
を備え、前記風防が前記二輪及び三輪車側に対して着脱可能とされていることを特徴とする請求項１あるいは請求項２記載の二輪及び三輪車用防衛具などの装備構造。
【請求項４】
前記二輪及び三輪車側にそれぞれ基端が固定された長手状の各取付杆と、
前記各取付杆の先端側を連結する連結部材と、
前記各取付杆の先端側あるいは前記連結部材に取り付けられ、前記風防の下端縁を係止して前記風防を位置決め支持する係止部と、
前記連結部材に取り付けられた係合部材と、
前記風防に取り付けられ、前記係合部材と係合して前記係止部の係止と共に前記風防を固定するフック部と、
を備え、前記風防が前記二輪及び三輪車側に対して着脱可能とされていることを特徴とする請求項１あるいは請求項２記載の二輪及び三輪車用防衛具などの装備構造。
【請求項５】
前記係合部材が前記フック部との係合を鍵にて施錠されていることを特徴とする請求項３あるいは請求項４記載の二輪及び三輪車用防衛具などの装備構造。
【請求項６】
前記各取付杆には防衛棒などを着脱可能にして架設する把持部材が設けられていることを特徴とする請求項３〜請求項５の何れかに記載の二輪及び三輪車用防衛具などの装備構造。
【発明の詳細な説明】
【０００１】
【発明の属する技術分野】
本発明は、オートバイ・自転車などの二輪及び三輪車に盾や防衛棒などの防衛具を装備した二輪及び三輪車用防衛具などの装備構造に関するものである。
【０００２】
【従来の技術】
従来、オートバイ・自転車などの二輪及び三輪車には盾や防衛棒などの防衛具を装備する試みがない。ゆえに、上記防衛具が必要な場合には別に自動車にて運んでいた。
【０００３】
【発明が解決しようとする課題】
しかしながら、渋滞・道幅・地形などの道路状況により二輪及び三輪車のみでの移動を要する際には、上記防衛具を装備することができなかった。
【０００４】
そこで本発明は、上記課題を解消するために、盾や防衛棒などの防衛具を適宜装備することができる二輪及び三輪車用防衛具などの装備構造を提供することを目的としている。
【０００５】
【課題を解決するための手段】
上記目的を達成するため本発明による請求項１記載の二輪及び三輪車用防衛具などの装備構造は、
二輪及び三輪車に対して着脱可能とされた風防と、
前記風防に取り付けられた把手と、
を備え、前記風防を前記二輪及び三輪車から取り外し把手を持って盾とすることを特徴とする。
【０００６】
請求項２記載の二輪及び三輪車用防衛具などの装備構造は、請求項１記載の二輪及び三輪車用防衛具などの装備構造において、
前記把手が、折畳み可能とされていることを特徴とする。
【０００７】
請求項３記載の二輪及び三輪車用防衛具などの装備構造は、請求項１あるいは請求項２記載の二輪及び三輪車用防衛具などの装備構造において、
前記二輪及び三輪車側にそれぞれ基端が固定された長手状の各取付杆と、
前記各取付杆の先端側を連結する連結部材と、
前記連結部材に取り付けられた係合部材と、
前記風防に取り付けられ、前記各取付杆の先端を挿通係止する各係止部と、
前記風防に取り付けられ、前記係合部材と係合して前記係止部の係止と共に前記風防を固定するフック部と、
を備え、前記風防が前記二輪及び三輪車側に対して着脱可能とされていることを特徴とする。
【０００８】
請求項４記載の二輪及び三輪車用防衛具などの装備構造は、請求項１あるいは請求項２記載の二輪及び三輪車用防衛具などの装備構造において、
前記二輪及び三輪車側にそれぞれ基端が固定された長手状の各取付杆と、
前記各取付杆の先端側を連結する連結部材と、
前記各取付杆の先端側あるいは前記連結部材に取り付けられ、前記風防の下端縁を係止して前記風防を位置決め支持する係止部と、
前記連結部材に取り付けられた係合部材と、
前記風防に取り付けられ、前記係合部材と係合して前記係止部の係止と共に前記風防を固定するフック部と、
を備え、前記風防が前記二輪及び三輪車側に対して着脱可能とされていることを特徴とする。
【０００９】
請求項５記載の二輪及び三輪車用防衛具などの装備構造は、請求項３あるいは請求項４記載の二輪及び三輪車用防衛具などの装備構造において、
前記係合部材が前記フック部との係合を鍵にて施錠されていることを特徴とする。
【００１０】
請求項６記載の二輪及び三輪車用防衛具などの装備構造は、請求項３〜請求項５の何れかに記載の二輪及び三輪車用防衛具などの装備構造において、
前記各取付杆には防衛棒などを着脱可能にして架設する把持部材が設けられていることを特徴とする。
【００１１】
【発明の実施の形態】
以下、本発明の第一実施の形態を図面を参照して具体的に説明する。
図１は本発明の二輪及び三輪車用防衛具などの装備構造の第一実施の形態を示す斜視図、図２は風防を示す斜視図、図３は固定部を示す斜視図である。
【００１２】
図１に示すように、二輪及び三輪車用防衛具などの装備構造は、風防１を固定部によって二輪及び三輪車側（本実施の形態ではハンドル３）に対して着脱可能としている。なお、本実施の形態での二輪及び三輪車は、主にオートバイ・自転車などであり側車付きの場合も含み称する。
【００１３】
風防１は、ポリカーボネイトなどの透明あるいは透光性を有する硬質合成樹脂材からなり、本実施の形態では厚さを略５ｍｍとしている。また、風防１には把手４が取り付けられている。この把手４は、手で把持する部分である把手部４ａが中央で左右に分割され、上下端部がヒンジ部４ｂを介して取り付けられている。これにより、把手４は、図１に示すように把手部４ａを開いた状態と、図２に示すように把手部４ａを閉じた状態とを得て折畳み可能とされている。このように、風防１は、把手４を手で持つことにより盾として用いられる。
【００１４】
また、風防１には、係止部６とフック部７とが設けられている。係止部６は、筒状に形成されて対をなし、風防１に固定された長手状の固定板１１の左右にそれぞれ固定されている。係止部６は、後述する取付杆８の先端８ｂを挿通係止する。フック部７は、風防に固定された前記固定板１１の中央部分に固定されている。フック部７は、上側に向く鉤状をなし、後述する係合部材１０と係合する。これら、係止部６およびフック部７は、後述する取付杆８と係合部材１０とともに着脱機構をなす。
【００１５】
固定部は、取付杆８と、連結部材９と、係合部材１０とからなる。取付杆８は、長手状の棒状態からなり、対をなして二輪及び三輪車の左右ハンドル３それぞれに基端８ａが固定される。各取付杆８の基端８ａには、ネジ溝１２ａが設けられている。このネジ溝１２ａ部分には略Ｕ字状とされた挿通部１２ｂの開口端が挿通される。また、ネジ溝１２ａには、挿通部１２ｂの開口端を締め付けるボルト１２ｃが螺合される。そして、ハンドル３に挿通部１２ｂを通し、ボルト１２ｃを締めることにより各取付杆８を略水平な状態として基端８ａが左右ハンドル３にそれぞれ固定される。
【００１６】
連結部材９は、各取付杆８の先端８ｂを連結する。連結部材９は長手状の板体として形成されている。一方、取付杆８の先端８ｂは、上方に折曲されている。連結部材９の左右には、連結部材９との間で各取付杆８の先端８ｂをそれぞれ挟持する各取付片１３が設けられている。取付片１３はネジ１３ａで連結部材９に取り付けられる。またネジ１３ａは連結部材９に形成されたネジ挿通穴（不図示）に遊挿される。これにより、取付片１３は、連結部材９に対して取付杆８の先端８ａを微調整可能にして取り付ける。したがって、連結部材９は、各取付杆８の先端８ａの間隔を調整しつつ各取付杆８の先端８ｂを連結する。
【００１７】
係合部材１０は、連結部材９の中央部分に取り付けられている。係合部材１０は、上記フック部７に係合する。係合部材１０は、係合片１０ａと、レバー１０ｂと、施錠部１０ｃとからなる。係合片１０ａは、フック部７に係合するように、下側に向く鉤状をなしている。レバー１０ｂは、その回動によって係合片１０ａを上下方向に移動させる。レバー１０ｂは、１８０°の回動により係合片１０ａを上方に移動させ（図４（ａ）参照）、残りの１８０°の回動により係合片１０ａを下方に移動させる（図４（ｂ）参照）。また、レバー１０ｂは、図１に示すように折畳めるように構成されている。施錠部１０ｃは、レバー１０ｂを折畳んだ状態で施錠する。レバー１０ｂの先端は、Ｌ字状に折り曲げられ、レバー１０ｂの折畳み時に係合部材１０の基部に対して挿通される。そして、施錠部１０ｃは、鍵１０ｄによりレバー１０ｂの先端を基部から抜けないように施錠する（図４（ｃ）参照）。これにより、レバー１０ｂが回動できなくなる。また、レバー１０ｂの先端が係合部材１０の基部に挿通される時は、係合片１０ａが下方に移動している状態にあるので、レバー１０ｂを施錠した際には、係合片１０ａが上方に移動できなくなる。したがって、係合部材１０とフック部７との係合が施錠される。なお、係合部材１０の基部は、係合片１０ａがフック部７と係合していない状態で、図４（ｄ）に示すように連結部材９に対して傾倒可能に構成されている。
【００１８】
このように、着脱機構は、係止部６およびフック部７を風防１側に配し、取付杆８および係合部材１０を二輪及び三輪車側に配している。そして、係止部６を取付杆８の先端８ｂに係止してフック部７と係合部材１０とを係合させることにより風防１を二輪及び三輪車側に装着することができ、フック部７と係合部材１０との係合を解いて係合部材１０の基部を倒し、係止部６を取付件８の先端８ｂから抜くことにより風防１を二輪及び三輪車から外すことができる。
【００１９】
また、取付杆８の先端８ｂには、調整部材１４ａが設けられている。調整部材１４ａは、取付杆８の先端８ｂに遊挿される筒状体であり、ネジ１４ｂによって取付杆８に固定される。この調整部材１４ａは、係止部６の取付杆８への挿通深さを可変することで、フック部７と係合部材１０との係合具合を調整する。
【００２０】
なお、係合部材１０は、上記の構成に限らない。別の係合部材１５は、図５（ａ），（ｂ）に示すように、フック部７に係合する係合片１５ａと係合片１５ａをフック部７に対して係脱するレバー１５ｂとからなる。係合片１５ａをフック部７に掛けてレバー１５ｂを下方に倒すことにより、バネ１５ｃの張力によってフック部７と係合片１５ａとが係合する。また、レバー１５ｂを上方に起こすことにより、係合片１５ａがフック部７から外れる。また、上記係合部材１０，１５の他、様々な係合形態あるいは施錠形態にした係合部材を用いてもよい。
【００２１】
ところで、図１に示すように、各取付杆８の基端８ａにあるネジ溝１２ａには、ボルト１６ａによって取付板１６ｂが固定される。各取付板１６ｂには、弾性体からなる略Ｕ字状の把持部材１６が設けられている。この把持部材１６には、防衛棒１７や指示灯などが着脱可能にして架設できる。
【００２２】
したがって、このように構成された二輪及び三輪車用防衛具などの装備構造では、風防１を二輪及び三輪車に対して着脱可能にして、且つ、風防１に把手４を設けたことにより、外した風防１を持って盾として使用できる。このように、二輪及び三輪車に盾を装備することが可能となる。また、把手４を折畳み可能とすれば、風防１を二輪及び三輪車に装着して風除けとして用いる際に把手４が邪魔になることがない。
【００２３】
また、風防１を二輪及び三輪車側に取り付ける係合部材１０を鍵１０ｄにて施錠するようにすれば、二輪及び三輪車の走行中に風防１が脱落することがなく、且つ、悪戯に外されることもない。
【００２４】
また、風防１を二輪及び三輪車側に取り付ける取付杆８に、防衛棒１７や指示灯などを着脱可能にして架設する把持部材１６を設けたことにより、風防１とともに防衛棒１７も装備することが可能となる。
【００２５】
以下、二輪及び三輪車用防衛具などの装備構造の第二実施の形態を説明する。図６は第二実施の形態を示す斜視図である。なお、第二実施の形態では、主に係止部に係る構成が異なり、その他同一あるいは同等部分には、上述した第一実施の形態と同一の符号を付し、その説明を省略する。
【００２６】
図６に示すように、係止部２０は、風防１の面（把手４が設けられた内側面）に当接する支持板２０ａと、風防１の下端縁を係止する係止溝２０ｂとを有している。支持板２０ａの風防１の面と接触する面には、弾性シート２０ｃが貼着されている。この係止部２０は、各取付杆８の先端８ｂ側あるいは連結部材９に取り付けられる。本実施の形態では、各係止部２０が、それぞれ各取付杆８の先端８ｂに挿通される筒状の固定部材２１を介して取り付けられる。固定部材２１は、係止部２０と一体に溶接され、固定ネジ２１ａによって取付杆８に固定される。なお、係止部２０は、連結部材９に溶接などで固定されていてもよい。このように、第二実施の形態では、風防１には、着脱機構として、上述の第一実施の形態における係止部６が設けられておらず、フック部７を小型にした固定板１１を介して固定してなり、固定部側の取付杆８に係止部２０を備えている。
【００２７】
そして、風防１の下端縁を係止部２０の係止溝２０ｂに係止することにより、風防１を位置決め支持して、フック部７と係合部材１０とを係合させることにより風防１を二輪及び三輪車側に装着することができる。各係止部２０は、風防１の下端縁の中央にある凹部を係止するので、風防１を上方以外に移動しないように規制する。また、フック部７と係合部材１０とを係合させた際には、風防１が支持板２０ａ側に引っ張られて、支持板２０ａと風防１の面が当接するとともに、弾性シート２０ｃの弾性によってガタツキ無く固定される。そして、フック部７と係合部材１０との係合を解いて係合部材１０の基部を倒し、風防１を係止部２０から抜くことにより風防１を二輪及び三輪車から外すことができる。
【００２８】
また、取付杆８の先端８ｂには、調整部材１４ａが設けられている。調整部材１４ａは、取付杆８の先端８ｂに遊挿される筒状体であり、ネジ１４ｂによって取付杆８に固定される。この調整部材１４ａは、係止部２０の取付杆８への挿通深さを可変することで、フック部７と係合部材１０との係合具合を調整するとともに、係止部２０の取付杆８に挿通された角度を可変することで、係止部２０への風防１の係止具合を調整する。
【００２９】
なお、係合部材１０は、上記の構成に限らず、図５（ａ），（ｂ）に示す係合部材１５や、その他、様々な係合形態あるいは施錠形態にした係合部材を用いてもよい。
【００３０】
したがって、第二実施の形態での二輪及び三輪車用防衛具などの装備構造では、上述した第一実施の形態と同様の効果を得ることが可能である。特に、固定部（取付杆８）に、風防１の下端縁を係止して位置決め支持する構成の係止部２０を設けたことにより、第一実施の形態の如く風防１に設けた係止部６を取付杆８の先端に挿通させる構成と比較して、風防１の取り外しが容易となり、且つ、風防１側の構成が軽減して風防１の軽量化を図ることが可能となる。
【００３１】
なお、上述した第二実施の形態において、風防１が上方以外に移動しないように規制する係止部２０と風防１の下端縁とが係止する構成は、図６に示す上記構成に限らず、凹凸により係止する構成であればよい。
【００３２】
また、上述した各実施の形態において、取付杆８の基端８ａの固定部位は、上述した二輪及び三輪車の左右ハンドル３に限らず、運転や他装備に支障の無い部位であれば何処でもよい。その際、ネジ溝１２ａ、挿通部１２ｂ、ボルト１２ｃの構成や、取付杆８の形状は合わせて適宜変わることもある。
【００３３】
【発明の効果】
以上説明したように本発明による二輪及び三輪車用防衛具などの装備構造は、風防を二輪及び三輪車に対して着脱可能とし、且つ、風防に把手を設けたことにより、風防を二輪及び三輪車から取り外し把手を持って盾とすることができる。これにより、二輪及び三輪車に盾を装備することができる。
【００３４】
また、把手を折畳み可能とすれば、風防を二輪及び三輪車に装着して風除けとしてた状態で把手が邪魔になることがない。
【００３５】
また、二輪及び三輪車側にそれぞれ基端が固定された長手状の各取付杆と、各取付杆の先端側を連結する連結部材と、連結部材に取り付けられた係合部材と、風防に取り付けられて各取付杆の先端を挿通係止する各係止部と、風防に取り付けられて係合部材と係合するフック部とを備えて風防を着脱可能とすれば、風防を二輪及び三輪車に対して着脱可能とする構成を実現することができる。
【００３６】
また、二輪及び三輪車側にそれぞれ基端が固定された長手状の各取付杆と、各取付杆の先端側を連結する連結部材と、各取付杆の先端側あるいは連結部材に取り付けられ風防の下端縁を係止して風防を位置決め支持する係止部と、連結部材に取り付けられた係合部材と、風防に取り付けられ前記係合部材と係合して前記係止部の係止と共に前記風防を固定するフック部とを備えて風防を前記二輪及び三輪車側に対して着脱可能とすれば、風防の取り外しを容易となし、且つ、風防の軽量化を図ることができる。
【００３７】
また、係合部材がフック部との係合を鍵にて施錠されていることにより、二輪及び三輪車の走行中に風防の脱落を防止することができ、且つ、悪戯を防止することもできる。
【００３８】
各取付杆に防衛棒などを着脱可能にして架設する把持部材を設けたことにより、盾をなす風防とともに防衛棒をも装備することができる。
【図面の簡単な説明】
【図１】本発明の二輪及び三輪車用防衛具などの装備構造の第一実施の形態を示す斜視図。
【図２】風防を示す斜視図。
【図３】固定部を示す斜視図。
【図４】（ａ）〜（ｄ）係合部材を示す側面図。
【図５】（ａ）（ｂ）他の係合部材を示す斜視図。
【図６】本発明の二輪及び三輪車用防衛具などの装備構造の第二実施の形態を示す斜視図。
【符号の説明】
１…風防、３…ハンドル、４…把手、６…係止部、７…フック部、８…取付杆、９…連結部材、１０…係合部材、１６…把持部材、２０…係止部。
【図１】
0003607232.tif 000002
【図２】
0003607232.tif 000003
【図３】
0003607232.tif 000004
【図４】
0003607232.tif 000005
【図５】
0003607232.tif 000006
【図６】
0003607232.tif 000007